(57)【要約】【課題】空き家を表示すると共に、既設の錠穴をカバーしピッキングによる解錠行為を防止することができるピッキング防止用金具を提供する。【解決手段】ピッキング防止用金具は、玄関ドアのレバーハンドル又は握り玉ドアノブ奥側の径小部の外周を覆うように装着可能であり外周面に沿って円弧状の溝が形成された１対の略半円筒形スペーサと、円弧状の溝に嵌入可能な凹形状の円弧部を有する第１のプレートと、連結軸を介して第１のプレートと互いに平行な平面内において回動自在に装着された第２のプレートとを備え、第１のプレート及び第２のプレートの各々は、錠の錠杆を挿通する錠杆挿通孔を有している。【選択図】図１
2017071929.tif 000002
【特許請求の範囲】
【請求項１】
玄関ドアのレバーハンドル又は握り玉ドアノブ奥側の径小部の外周を覆うように装着可能であり外周面に沿って円弧状の溝が形成された１対の略半円筒形スペーサと、
前記円弧状の溝に嵌入可能な凹形状の円弧部を有する第１のプレートと、
連結軸を介して前記第１のプレートと互いに平行な平面内において回動自在に連結された第２のプレートとを備え、
前記第１のプレート及び前記第２のプレートの各々は、錠の錠杆を挿通する錠杆挿通孔を有していることを特徴とするピッキング防止用金具。
【請求項２】
前記連結軸は、前記レバーハンドル又は前記握り玉ドアノブの上方に位置すると共に、前記錠杆挿通孔は、前記レバーハンドル又は前記握り玉ドアノブの下方に位置するように構成されていることを特徴とする請求項１に記載のピッキング防止用金具。
【請求項３】
前記錠杆挿通孔は、縦方向の長穴形状に形成されていることを特徴とする請求項１又は２に記載のピッキング防止用金具。
【請求項４】
前記１対の略半円筒形スペーサは、樹脂材料から形成されていることを特徴とする請求項１から３のいずれか１項に記載のピッキング防止用金具。
【請求項５】
前記第１のプレート又は前記第２のプレートには、空き家であることを示す内容を表示するための表示部を有することを特徴とする請求項１から４のいずれか１項に記載のピッキング防止用金具。
【発明の詳細な説明】
【技術分野】
【０００１】
本発明は、玄関ドアのレバーハンドル又は握り玉錠に取付け可能であり、空き家であることを表示すると共に、既設の錠穴をカバーしてピッキングによる解錠行為を防止するためのピッキング防止用金具に関する。
【背景技術】
【０００２】
近年、賃貸アパート、マンション、団地の集合住宅等の空き部屋が、振り込み詐欺や取り込み詐欺等における集金の送付先として悪用されている場合があった。そのため、空き家であることを宅配業者等に知らせることが必要となり、「配送厳禁」等と書かれたシールを玄関ドアに貼り付ける等方法が用いられている。
【０００３】
また、不正な者による解錠を防止するために、ドアノブにカバーなどを外覆することによりドア錠のキー穴を閉鎖し、且つドアハンドルの回動を防止するピッキング防止金具が提案されている（特許文献１）。
【０００４】
特許文献１に記載のピッキング防止金具は、ドアノブの奥側の径小部を覆う円筒に円盤を結合させたノブカバー本体を半分に分割し、分割したノブカバー本体をピンで回動自在にカシメ、ノブを中心に錠前までを円盤で覆い、径小部を覆う円筒又は円盤に設けられた舌部に当接対面する一対の孔を設け、錠前を円盤で覆った状態でこれら孔に南京錠等の錠前を通して施錠できるようにしたものである。
【先行技術文献】
【特許文献】
【０００５】
【特許文献１】特開２００２−２２７４６９号公報
【発明の概要】
【発明が解決しようとする課題】
【０００６】
しかしながら、上述した従来のピッキング防止金具は、ノブ奥側の径小部を覆う円筒と、錠前を覆う円盤とを一体に形成するので、溶接等の加工が必要となり、製作コストが高くなるという問題点があった。
【０００７】
また、ノブ奥側の径小部を覆う円筒及び錠前を覆う円盤が金属製であるため、ドアノブ及び錠前を傷つける恐れがあるという欠点があった。
【０００８】
さらに、上述した従来のピッキング防止金具は、空き家であることを宅配業者等に知らせることを想定していないため、空き家であることを表示するための表示部を設けていなかった。
【０００９】
従って、本発明の目的は、空き家であることを表示すると共に、既設の錠穴をカバーしピッキングによる解錠行為を防止することができるピッキング防止用金具を提供することにある。
【００１０】
本発明の他の目的は、構成が簡単で、製作が容易であり、かつコストを抑えることができるピッキング防止用金具を提供することにある。
【課題を解決するための手段】
【００１１】
本発明によれば、玄関ドアのレバーハンドル又は握り玉ドアノブ奥側の径小部の外周を覆うように装着可能であり外周面に沿って円弧状の溝が形成された１対の略半円筒形スペーサと、円弧状の溝に嵌入可能な凹形状の円弧部を有する第１のプレートと、連結軸を介して第１のプレートと互いに平行な平面内において回動自在に装着された第２のプレートとを備え、第１のプレート及び第２のプレートの各々は、錠の錠杆を挿通する錠杆挿通孔を有しているピッキング防止用金具が提供される。
【００１２】
ピッキング防止用金具は、１対の略半円筒形スペーサの円弧状の溝に嵌入可能な凹形状の円弧部を有する第１のプレートと、連結軸を介して第１のプレートと回動自在に連結された第２のプレートとを備え、第１のプレート及び第２のプレートの各々は、南京錠等の錠杆を挿通する錠杆挿通孔を有している。これにより、第１のプレート及び第２のプレートにより既設の錠前をカバーしピッキングによる解錠行為を防止することができる。また、構成が簡単で、製作が容易であり、かつコストを抑えることができる。
【００１３】
連結軸は、レバーハンドル又は握り玉ドアノブの上方に位置すると共に、錠杆挿通孔は、レバーハンドル又は握り玉ドアノブの下方に位置するように構成されていることが好ましい。これにより、ピッキング防止用金具の重心が常に下方にあり、本体のブレを抑えることができる。
【００１４】
錠杆挿通孔は、縦方向の長穴形状に形成されていることが好ましい。これにより、錠杆を通し易い構造となり、装着時間の短縮化、装着時のドアへの傷つきを軽減することができる。
【００１５】
１対の略半円筒形スペーサは、樹脂材料から形成されていることが好ましい。これにより、レバーハンドル又は握り玉ドアノブへの傷つきを軽減することができる。
【００１６】
第１のプレート又は第２のプレートには、空き家であることを示す内容を表示するための表示部を有することが好ましい。これにより、第１のプレート又は第２のプレートに空き家であることを示すシールを貼り付けたり、又は直接印刷することができ、空き家であることを確実に表示することができる。
【発明の効果】
【００１７】
本発明のピッキング防止用金具によれば、空き家であることを表示すると共に、既設の錠穴をカバーしピッキングによる解錠行為を防止することができる。また、構成が簡単で、製作が容易であり、かつコストを抑えることができる。
【図面の簡単な説明】
【００１８】
【図１】本発明の第１の実施形態に係るピッキング防止用金具の構成を概略的に示す分解斜視図である。
【図２】図１のピッキング防止用金具の構成を概略的に示す（ａ）正面図、（ｂ）側面図、（ｃ）平面図である。
【図３】図１のピッキング防止用金具の設置手順を示す（ａ）平面図、（ｂ）正面図である。
【図４】図１のピッキング防止用金具の設置手順を示す（ａ）正面図、（ｂ）正面図である。
【図５】図１のピッキング防止用金具を握り玉ドアノブに設置した場合の使用状態を示す（ａ）平面図、（ｂ）正面図である。
【図６】本発明の第２の実施形態に係るピッキング防止用金具の構成を概略的に示す正面図である。
【図７】本発明の第３の実施形態に係るピッキング防止用金具の構成を概略的に示す正面図である。
【図８】本発明の第４の実施形態に係るピッキング防止用金具の構成を概略的に示す正面図である。
【図９】本発明の第５の実施形態に係るピッキング防止用金具の構成を概略的に示す正面図である。
【発明を実施するための形態】
【００１９】
以下、本発明に係るピッキング防止用金具の種々の実施形態について図を参照して説明する。
【００２０】
図１及び図２は本発明の第１の実施形態に係るピッキング防止用金具１００の構成を示しており、図３及び図４はピッキング防止用金具１００の設置手順を示しており、図５はピッキング防止用金具１００を握り玉ドアノブに設置した場合の使用状態を示している。
【００２１】
図１及び図２に示すように、本実施形態に係るピッキング防止用金具１００は、１対の略半円筒形スペーサ１０ａ及び１０ｂと、第１のプレート２０と、第２のプレート３０と、連結軸４０と、ワッシャ５０とを備えている。また、このピッキング防止用金具１００を使用する際に、錠６０（図４、図５）を用いて施錠することができるように構成されている。
【００２２】
１対の略半円筒形スペーサ１０ａ及び１０ｂは、樹脂材料（例えば、塩化ビニール）で成形されたものである。これら略半円筒形スペーサ１０ａ及び１０ｂは、外周面の中央部に周方向に沿った溝１１ａ及び１１ｂがそれぞれ形成されている。また、これら略半円筒形スペーサ１０ａ及び１０ｂ内径は、玄関ドアＤのレバーハンドルＨの外径又は握り玉ドアノブＭの奥側の径小部の外径に対応するように構成されている。
【００２３】
第１のプレート２０は、金属材料又は樹脂材料による略矩形形状の平板に切り欠き部２０ａ及び凸部を設けて形成されている。この第１のプレート２０の略中央部に連結軸４０を挿通するための貫通穴２１が設けられており、この貫通穴２１の下方に円弧状の切り込み部２２が設けられている。また、第１のプレート２０の下端部に凸部を有し、この凸部に錠杆挿通孔２３が設けられている。錠杆挿通孔２３は、縦方向の長穴形状穴である。第１のプレート２０は、玄関ドアＤの錠前Ｋを覆うことができるように所定の大きさ（面積）を有している。また、第１のプレート２０の表面の上方部分は空き家であること等（例えば、「入居者募集中」又は「空家」等）を示す内容を表示するための表示部２４として利用できる。
【００２４】
第２のプレート３０は、金属材料又は樹脂材料による略矩形形状の平板に切り欠き及び凸部を設けて形成されている。この第２のプレート３０の側辺部に連結軸４０を挿通するための貫通穴３１が設けられており、この貫通穴３１の下方に円弧状の切り込み部３２が設けられている。また、第２のプレート３０の下端部に凸部を有し、この凸部に錠杆挿通孔３３が設けられている。錠杆挿通孔３３は、縦方向の長穴形状穴である。
【００２５】
連結軸４０は、金属製の円柱状の片側に直径の大きい頭部を有するリベットであり、例えば、段付リベットで構成されている。連結軸４０を介して第１のプレート２０と第２のプレート３０とが回動自在に連結されている。また、第１のプレート２０と第２のプレート３０との間にワッシャ５０が介在している。これにより、第１のプレート２０と第２のプレート３０とが互いにスムーズに回動可能となる。
【００２６】
このピッキング防止用金具１００のレバーハンドルＨへの設置手順を、図３及び図４を参照して説明する。ピッキング防止用金具１００を設置する際に、まず、図３（ａ）に示すように、１対の略半円筒形スペーサ１０ａ及び１０ｂを玄関ドアのレバーハンドルＨの根元部に、レバーハンドルＨの外周を覆いこれを挟み込むように両側から配置する。次に、図３（ｂ）に示すように、円弧状の切り込み部２２が略半円筒形スペーサ１０ａの溝１１ａに嵌入するように第１のプレート２０を装着する。この場合、図３（ｂ）に示すように、第２のプレート３０は開いている状態にある。次に、第２のプレート３０を下方へ回転させ、この第２のプレート３０の円弧状の切り込み部２２を略半円筒形スペーサ１０ｂの溝１１ｂに嵌入させ、第２のプレート３０の錠杆挿通孔３３を第１のプレート２０の錠杆挿通孔２３と同じ位置に重ね合わせる（図４（ａ）参照）。次いで、図４（ｂ）に示すように、錠６０で施錠する。
【００２７】
この錠６０は、第１のプレート２０及び第２のプレート３０の錠杆挿通孔２３及び３３に共に挿通する錠杆を有するものであり、例えば、南京錠である。
【００２８】
図５はピッキング防止用金具１００の握り玉ドアノブＭへ設置した場合の使用状態を示している。図５（ａ）に示すように、ピッキング防止用金具１００は、握り玉ドアノブＭの奥側の径小部に装着されている。また、図５（ｂ）に示すように、錠６０を用いて施錠することができ、かつ第１のプレート２０及び第２のプレート３０により既設の錠前Ｋをカバーすることができる。
【００２９】
以上説明したように、本実施形態のピッキング防止用金具１００は、１対の略半円筒形スペーサ１０ａ及び１０ｂと、第１のプレート２０と、第２のプレート３０と、連結軸４０と、ワッシャ５０とを備え、第１のプレート２０及び第２のプレート３０の各々は、南京錠６０等の錠杆を挿通する錠杆挿通孔２３及び３３を有している。これにより、第１のプレート２０及び第２のプレート３０により既設の錠前Ｋをカバーしピッキングによる解錠行為を防止することができる。また、構成が簡単で、製作が容易であり、かつコストを抑えることができる。
【００３０】
また、連結軸４０は、レバーハンドルＨ又は握り玉ドアノブＭの上方に位置すると共に、錠杆挿通孔２３及び３３がレバーハンドルＨ又は握り玉ドアノブＭの下方に位置するように構成されていることで、ピッキング防止用金具１００の重心が常に下方となり、本体のブレを抑えることができる。
【００３１】
また、錠杆挿通孔２３及び３３が縦方向の長穴形状に形成されているので、錠杆を通し易い構造となり、装着時間の短縮化、装着時のドアへの傷つきを軽減することができる。
【００３２】
また、１対の略半円筒形スペーサ１０ａ及び１０ｂを樹脂材料から形成すれば、レバーハンドルＨ又は握り玉ドアノブＭへの傷つきを軽減することができる。
【００３３】
さらに、第１のプレート２０が空き家であること等を示す内容を表示するための表示部２４を有しており、この表示部２４に入居者募集中等のシールを貼り付けるか又は直接印刷することにより空き家であることの表示が可能となる。従って、仮に、ピッキング等により住居に侵入されてしまった場合にも、このような表示部２４を有するピッキング防止用金具１００を設置しておけば、宅配便等の配達員が空き家であると気付くので、詐欺集金事件を未然に防ぐことができる。
【００３４】
図６は本発明の第２の実施形態に係るピッキング防止用金具１００Ａの構成を示している。図６に示すように、このピッキング防止用金具１００Ａは、１対の略半円筒形スペーサ１０ａ及び１０ｂと、第１のプレート２０Ａと、第２のプレート３０Ａと、連結軸４０と、ワッシャ５０（図示せず）とを備えている。また、このピッキング防止用金具１００Ａを使用する際に、錠６０（図４、図５）を用いて施錠することができるように構成されている。図６中の二点鎖線は第２のプレート３０Ａの装着後の位置を示している。
【００３５】
同図に示すように、第１のプレート２０Ａの円弧状の切り込み部２２が切り欠き部２０ａの上部に設けられている。第２のプレート３０Ａは、円弧状の切り込み部を有しないＬ字形状に形成されている。連結軸４０は、玄関ドアに装着された際、レバーハンドルＨ又は握り玉ドアノブＭの側方に位置する。
【００３６】
本実施形態におけるピッキング防止用金具１００Ａは、第１のプレート２０Ａ及び第２のプレート３０Ａの形状、並びに連結軸４０の位置が第１の実施形態の場合と異なり、それ以外の構成は、第１の実施形態の場合と同様であるため、詳しい説明を省略する。
【００３７】
本実施形態のピッキング防止用金具１００Ａによれば、第１の実施形態の場合と同様な効果を得られ、しかも、第１のプレート２０Ａ及び第２のプレート３０Ａの形状がより簡単であるため、製造が容易となる。
【００３８】
図７は本発明の第３の実施形態に係るピッキング防止用金具１００Ｂの構成を示している。図７に示すように、このピッキング防止用金具１００Ｂは、１対の略半円筒形スペーサ１０ａ及び１０ｂと、第１のプレート２０Ｂと、第２のプレート３０Ｂと、連結軸４０と、ワッシャ５０（図示せず）とを備えている。また、このピッキング防止用金具１００Ｂを使用する際に、錠６０（図４、図５）を用いて施錠することができるように構成されている。図７中の二点鎖線は第２のプレート３０Ｂの装着後の位置を示している。
【００３９】
同図に示すように、第１のプレート２０Ｂの円弧状の切り込み部２２が切り欠き部２０ａの上部に設けられている。第２のプレート３０Ｂは、円弧状の切り込み部を有しない略矩形形状に形成されている。連結軸４０は、玄関ドアに装着された際、レバーハンドルＨ又は握り玉ドアノブＭの側方に位置する。
【００４０】
本実施形態におけるピッキング防止用金具１００Ｂは、第１のプレート２０Ｂ及び第２のプレート３０Ｂの形状、並びに連結軸４０の位置が第１の実施形態の場合と異なり、それ以外の構成は、第１の実施形態の場合と同様であるため、詳しい説明を省略する。
【００４１】
本実施形態のピッキング防止用金具１００Ｂによれば、第１の実施形態の場合と同様な効果を得られ、しかも、第１のプレート２０Ｂ及び第２のプレート３０Ｂの形状がより簡単であるため、製造が容易となる。
【００４２】
図８は本発明の第４の実施形態に係るピッキング防止用金具１００Ｃの構成を示している。図８に示すように、このピッキング防止用金具１００Ｃは、１対の略半円筒形スペーサ１０ａ及び１０ｂと、第１のプレート２０Ｃと、第２のプレート３０Ｃと、連結軸４０と、ワッシャ５０（図示せず）とを備えている。また、このピッキング防止用金具１００Ｃを使用する際に、錠６０（図４、図５）を用いて施錠することができるように構成されている。図８中の二点鎖線は第２のプレート３０Ｃの装着後の位置を示している。
【００４３】
同図に示すように、第１のプレート２０Ｃは、上述した第３の実施形態の第１のプレート２０Ｂと同様な形状で、錠杆挿通孔２３が右下の角に設けられている。第２のプレート３０Ｃは、比較的幅の狭い矩形形状に形成されている。連結軸４０は、玄関ドアに装着された際、レバーハンドルＨ又は握り玉ドアノブＭの側方に位置する。
【００４４】
本実施形態におけるピッキング防止用金具１００Ｃは、第１のプレート２０Ｃ及び第２のプレート３０Ｃの形状、並びに連結軸４０の位置が第１の実施形態の場合と異なり、それ以外の構成は、第１の実施形態の場合と同様であるため、詳しい説明を省略する。
【００４５】
本実施形態のピッキング防止用金具１００Ｃによれば、第１の実施形態の場合と同様な効果を得られ、しかも、第１のプレート２０Ｃ及び第２のプレート３０Ｃの形状がより簡単であるため、製造が容易となる。
【００４６】
図９は本発明の第５の実施形態に係るピッキング防止用金具１００Ｄの構成を示している。図９に示すように、このピッキング防止用金具１００Ｄは、１対の略半円筒形スペーサ１０ａ及び１０ｂと、第１のプレート２０Ｄと、第２のプレート３０Ｄと、連結軸４０Ａと、ワッシャ５０（図示せず）とを備えている。また、ピッキング防止用金具１００Ｄを使用する際に、錠６０を用いて施錠することができるように構成されている。
【００４７】
同図に示すように、第１のプレート２０Ｄと第２のプレート３０Ｄとは、同一の形状を有しており、それぞれの１辺に円弧状の切り込み部２２が設けられている。切り込み部２２の一端側に連結軸４０Ａを挿通するための貫通穴２１及び３１がそれぞれ設けられており、他端側に錠杆挿通孔２３及び３３がそれぞれ設けられている。
【００４８】
連結軸４０Ａは、連結片の両端にそれぞれ連結軸を有している。この連結軸４０Ａにより第１のプレート２０Ｄと第２のプレート３０Ｄとが回動自在に連結されている。また、連結軸４０Ａは、玄関ドアに装着された際、レバーハンドルＨ又は握り玉ドアノブＭの上方に位置する。また、第１のプレート２０Ｄ及び第２のプレート３０Ｄの両側の部分は、空き家であること等を示す内容を表示するための表示部２４として利用することができる。
【００４９】
本実施形態によれば、ピッキング防止用金具１００Ｄにおいて、第１のプレート２０Ｄ及び第２のプレート３０Ｄは同じ形状を有していることにより製作が非常に容易であり、かつコストを抑えることができる。
【００５０】
なお、前述した実施形態のピッキング防止用金具１００、１００Ａ、１００Ｂ、１００Ｃ及び１００Ｄにおいて、第１のプレート２０、２０Ａ、２０Ｂ、２０Ｃ及び２０Ｄは、略矩形形状に形成された例として説明したが、本発明はこれに限定されるものではない。例えば、円形形状又は楕円形状等に形成しても良い。
【００５１】
また、前述した実施形態のピッキング防止用金具１００、１００Ａ、１００Ｂ、１００Ｃ及び１００Ｄにおいて、錠杆挿通孔２３及び３３は、長穴である例を説明したが、本発明はこれに限定されるものではない。例えば、丸穴にしても良い。
【００５２】
また、前述した実施形態のピッキング防止用金具１００、１００Ａ、１００Ｂ及び１００Ｃにおいて、空き家であること等を示す内容を表示するための表示部２４が第１のプレート２０の上の部分に配置している例を説明したが、本発明はこれに限定されるものではない。
【００５３】
本発明は、上記の実施形態に限定されるものでなく、特許請求の範囲に記載された発明の要旨を逸脱しない範囲内での種々、設計変更した形態を技術的範囲に含むものである。
【産業上の利用可能性】
【００５４】
本発明は、空き家を表示すると共に、既設の錠穴をカバーしピッキングによる解錠行為を防止する目的に利用できる。
【符号の説明】
【００５５】
１０ａ、１０ｂ  略半円筒形スペーサ
１１ａ、１１ｂ  溝
２０、２０Ａ、２０Ｂ、２０Ｃ、２０Ｄ  第１のプレート
２０ａ  切り欠き部
２１  貫通穴
２２、３２  切り込み部
２３、３３  錠杆挿通孔
２４  表示部
３０、３０Ａ、３０Ｂ、３０Ｃ、３０Ｄ  第２のプレート
３１  貫通穴
４０、４０Ａ  連結軸
５０  ワッシャ
６０  錠
１００、１００Ａ、１００Ｂ、１００Ｃ、１００Ｄ  ピッキング防止用金具
Ｄ  玄関ドア
Ｈ  レバーハンドル
Ｋ  錠前
Ｍ  握り玉ドアノブ
【図１】
2017071929.tif 000003
【図２】
2017071929.tif 000004
【図３】
2017071929.tif 000005
【図４】
2017071929.tif 000006
【図５】
2017071929.tif 000007
【図６】
2017071929.tif 000008
【図７】
2017071929.tif 000009
【図８】
2017071929.tif 000010
【図９】
2017071929.tif 000011
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
玄関ドアのレバーハンドル又は握り玉ドアノブ奥側の径小部の外周を覆うように装着可能であり外周面に沿って円弧状の溝が形成された１対の略半円筒形スペーサと、
前記円弧状の溝に嵌入可能な凹形状の円弧部を有する第１のプレートと、
連結軸を介して前記第１のプレートと互いに平行な平面内において回動自在に連結された第２のプレートとを備え、
前記第１のプレート及び前記第２のプレートの各々は、錠の錠杆を挿通する錠杆挿通孔を有し、
前記第１のプレート、又は前記第１のプレート及び前記第２のプレートにより既設の錠前をカバーするように構成されていることを特徴とするピッキング防止用金具。
【請求項２】
前記連結軸は、前記レバーハンドル又は前記握り玉ドアノブの上方に位置すると共に、前記錠杆挿通孔は、前記レバーハンドル又は前記握り玉ドアノブの下方に位置するように構成されていることを特徴とする請求項１に記載のピッキング防止用金具。
【請求項３】
前記錠杆挿通孔は、縦方向の長穴形状に形成されていることを特徴とする請求項１又は２に記載のピッキング防止用金具。
【請求項４】
前記１対の略半円筒形スペーサは、樹脂材料から形成されていることを特徴とする請求項１から３のいずれか１項に記載のピッキング防止用金具。
【請求項５】
前記第１のプレート又は前記第２のプレートには、空き家であることを示す内容を表示するための表示部を有することを特徴とする請求項１から４のいずれか１項に記載のピッキング防止用金具。